(57)【要約】      （修正有）【課題】構造がシンプルで、組立てと設置が便利なスライドレールインターロックアセンブリを提供する。【解決手段】外レール１２、中レール１６、内レール１４、台体２８、操作部品３０、停止部品３２、ロック棒を備える。台体２８は外レール１２の一端に固定して接続され、上収容室３８及び下収容室４０を備え、操作部品３０は台体２８に相対して設置し、可動状で操作部４２、係合ロック部４４、及び操作部４２と係合ロック部４４との間に位置する連動部４６を備え、操作部４２は台体２８の上収容室３８内に位置し、局部は露出し、係合ロック部４４は、台体２８の下収容室４０内に位置する。停止部品３２は内レール１４、或いは中レール１６に連接し、ロック棒は連動部４６に連接し、内レール１４及び中レール１６が外レール１２に相対して引き出されると、操作部４２は中レール１６に押され、台体２８の上収容室３８内に入り、連動部４６は第一位置から第二位置へと移動し、ロック棒の移動を連動し、しかも係合ロック部４４は台体２８の下収容室４０内から伸び出す。【選択図】図１
0003173757.tif 000002
【実用新案登録請求の範囲】
【請求項１】
スライドレール、インターロックを備える、スライドレールインターロックアセンブリであって、
前記スライドレールは、外レール、内レール、及び前記外レールと前記内レールとの間に可動状に連接する中レールを備え、前記外レールは、スライドチャンネルを備え、しかも前記外レールは、延伸ブラケット及び前記延伸ブラケットに位置する開口を備え、
前記インターロックは、前記スライドレールの前端に設置し、台体、操作部品を備え、
前記台体は、前記延伸ブラケットに固定して接続し、しかも前記開口に相対し、上部、及び前記上部に対応する下部を備え、しかも前記上部及び前記下部は、前記外レールのスライドチャンネルの上、下両側にそれぞれ位置し、前記上部は、上収容室を備え、前記外レールのスライドチャンネルに通じ、前記下部は、下収容室を備え、前記外レールのスライドチャンネルに通じ、
前記操作部品は、前記台体に可動状に設置し、操作部、前記操作部に相対する係合ロック部、及び前記操作部と前記係合ロック部との間に位置する連動部を備え、前記操作部は、前記中レールの前端に相対し、しかも前記台体の上収容室に位置し、局部は露出し、前記係合ロック部は、前記台体の下収容室内に位置し、前記連動部は、前記開口を貫通し、
前記内レールと前記中レールが、前記外レールに対して引き出されると、前記操作部品の操作部は、前記中レールにより押されて移動し、前記台体の上収容室内に入り、前記連動部は第一位置から第二位置へと移動し、しかも前記係合ロック部は、前記台体の下収容室から伸び出すことを特徴とするスライドレールインターロックアセンブリ。
【請求項２】
前記操作部品の操作部は、斜面を備え、前記中レールの前端に相対することを特徴とする、請求項１に記載のスライドレールインターロックアセンブリ。
【請求項３】
前記スライドレールインターロックアセンブリはさらに、弾性部品を備え、前記台体と前記操作部品との間に設置することを特徴とする、請求項１に記載のスライドレールインターロックアセンブリ。
【請求項４】
前記スライドレールインターロックアセンブリはさらに、プッシュ部品を備え、前記中レールの前端に固定して接続し、前記プッシュ部品は、傾斜したプッシュ面を備え、前記操作部品の操作部に相対することを特徴とする、請求項１に記載のスライドレールインターロックアセンブリ。
【請求項５】
前記スライドレールインターロックアセンブリはさらに、プルハンドルを備え、前記内レールに連接し、前記プルハンドルは、プッシュ部品を備え、前記操作部品の操作部に相対することを特徴とする、請求項１に記載のスライドレールインターロックアセンブリ。
【請求項６】
前記プルハンドルは、停止部品を備え、前記操作部品の係合ロック部に相対することを特徴とする、請求項５に記載のスライドレールインターロックアセンブリ。
【請求項７】
前記スライドレールインターロックアセンブリはさらに、停止部品を備え、前記内レール、或いは前記中レールの何れかに連接することを特徴とする、請求項１に記載のスライドレールインターロックアセンブリ。
【請求項８】
前記スライドレールインターロックアセンブリはさらに、第二スライドレール及びロック棒を備え、前記第二スライドレールは、第二外レール、第二内レール、及び前記第二外レールと前記第二内レールとの間に可動状に連接する第二中レールを備え、しかも第二インターロックを設置し、前記第二インターロックは、第二台体、第二操作部品及び第二停止部品を備え、前記第二操作部品は、前記第二台体に可動状に設置し、第二操作部、第二係合ロック部及び第二連動部を備え、しかも前記第二停止部品は、前記第二内レール或いは前記第二中レールの内の何れかに連接し、前記ロック棒は、前記操作部品の連動部及び前記第二操作部品の第二連動部に連接し、前記操作部品の連動部が、第一位置から第二位置へと移動すると、前記ロック棒も連動され、前記第二インターロックの第二操作部品の移動を連動し、しかもこれにより前記第二操作部品の第二係合ロック部は、前記第二停止部品を止め、前記第二スライドレールを固定することを特徴とする、請求項７に記載のスライドレールインターロックアセンブリ。
【請求項９】
前記ロック棒には、同等の間隔を開けた複数の槽孔を設置し、しかも前記連動部と前記第二連動部は、前記槽孔に挿入されることを特徴とする、請求項８に記載のスライドレールインターロックアセンブリ。
【考案の詳細な説明】
【技術分野】
【０００１】
本考案はスライドレールインターロックアセンブリに係り、特に棚或いはラック(rack)のロック固定機構に応用でき、複数のひきだしが、スライドレールを通して、棚或いはラックに設置される時、ひきだしが棚或いはラック(rack)から引き出されても、他のひきだしは、スライドレールのロック固定により、引き出されることはないスライドレールインターロックアセンブリに関する。
【背景技術】
【０００２】
一般に、内部に収容するものが重すぎる、或いは多すぎるひきだしが、開かれ、棚本体外へと引き出された後、重心が棚本体外に移動することで、棚本体が傾倒する危険を防ぐため、通常は、ひきだしの開放数を制限し、或いは同時開放を防止する。そのために、スライドレールが設置される。
【０００３】
また、スライドレールを、サーバーなどの電子設備に結合し、キャビネットに設置する「ラック式コンピューターシステム(RACK-MOUNTED  COMPUTER  SYSTEM)」においては、そのサーバーなどの電子設備は、ひきだしのように、開かれて棚本体外へと引き出すことができる。このタイプのシステムでは、「防傾(ANTI-TIP 、ANTI-TILT)」機能の具備が考慮される。
【０００４】
上記したニーズに応えるため、ひきだしの同時開放を防止可能なインターロックデバイス(INTERLOCK  DEVICE)が開発された。米国特許局の検索システムで、「ANTI-TIP」、「ANTI-TILT」或いは「INTERLOCK」をキーワードに、ひきだし(DRAWER)を含む条件で検索したところ、同領域における従来の技術が数十件見つかった。すなわち、このタイプの装置の開発は非常に多様であることが分かる。
【先行技術文献】
【特許文献】
【０００５】
【特許文献１】なし
【考案の概要】
【考案が解決しようとする課題】
【０００６】
本考案が解決しようとする課題は、構造がシンプルで、しかも組立てと設置が便利で、良好なインターロック固定機能を備えるスライドレールインターロックアセンブリを提供することである。
【課題を解決するための手段】
【０００７】
上記課題を解決するため、本考案のスライドレールインターロックアセンブリは、スライドレールを備え、該スライドレールは、外レール、内レール、及び該外レールと該内レールとの間に可動状に連接する中レールを備え、該外レールは、スライドチャンネルを備え、しかも該外レールは、延伸ブラケット及び該延伸ブラケットに位置する開口を備え、該インターロックは、該スライドレールの前端に設置し、台体、操作部品を備え、該台体は、該延伸ブラケットに固定して接続し、しかも該開口に相対し、上部、及び該上部に対応する下部を備え、しかも該上部及び該下部は、該外レールのスライドチャンネルの上、下両側にそれぞれ位置し、該上部は、上収容室を備え、該外レールのスライドチャンネルに通じ、該下部は、下収容室を備え、該外レールのスライドチャンネルに通じ、該操作部品は、該台体に可動状に設置し、操作部、該操作部に相対する係合ロック部、及び該操作部と該係合ロック部との間に位置する連動部を備え、該操作部は、該中レールの前端に相対し、しかも該台体の上収容室に位置し、局部は露出し、該係合ロック部は、該台体の下収容室内に位置し、該連動部は、該開口を貫通し、該内レールと該中レールが、該外レールに対して引き出されると、該操作部品の操作部は、該中レールにより押されて移動し、該台体の上収容室内に入り、該連動部は第一位置から第二位置へと移動し、しかも該係合ロック部は、該台体の下収容室から伸び出し、
好ましくは、該操作部品の操作部は、斜面を備え、該中レールの前端に相対し、
好ましくは、さらに弾性部品を備え、該台体と該操作部品との間に設置し、
好ましくは、さらにプッシュ部品を備え、該中レールの前端に固定して接続し、該プッシュ部品は、傾斜したプッシュ面を備え、該操作部品の操作部に相対し、
好ましくは、さらにプルハンドルを備え、該内レールに連接し、該プルハンドルは、プッシュ部品を備え、該操作部品の操作部に相対し、
好ましくは、プルハンドルは、停止部品を備え、該操作部品の係合ロック部に相対し、
好ましくは、さらに停止部品を備え、該内レール或いは中レールの何れかに連接し、
好ましくは、さらに第二スライドレール及びロック棒を備え、該第二スライドレールは、第二外レール、第二内レール、及び該第二外レールと該第二内レールとの間に可動状に連接する第二中レールを備え、しかも第二インターロックを設置し、該第二インターロックは、第二台体、第二操作部品及び第二停止部品を備え、該第二操作部品は、該第二台体に可動状に設置し、第二操作部、第二係合ロック部及び第二連動部を備え、しかも該第二停止部品は、該第二内レール或いは該第二中レールの内の何れかに連接し、該ロック棒は、該操作部品の連動部及び該第二操作部品の第二連動部に連接し、該操作部品の連動部が、第一位置から第二位置へと移動すると、該ロック棒も連動され、該第二インターロックの第二操作部品の移動を連動し、しかもこれにより該第二操作部品の第二係合ロック部は、該第二停止部品を止め、該第二スライドレールを固定し、
好ましくは、該ロック棒には、同等の間隔を開けた複数の槽孔を設置し、しかも該連動部と該第二連動部は、該槽孔に挿入される。
【考案の効果】
【０００８】
本考案のスライドレールインターロックアセンブリは、構造がシンプルで、しかも組立てと設置が便利で、良好なインターロック固定機能を備えるという効果を奏する。
【図面の簡単な説明】
【０００９】
【図１】本考案の実施例１のスライドレールとインターロックの配置模式図である。
【図２】本考案の実施例１のスライドレールとインターロックの組合せ模式図である。
【図３】本考案の実施例１が２組のスライドレールとインターロックを含む配置模式図である。
【図４】本考案の実施例１のインターロックが弾性部品を含む配置模式図である。
【図５】本考案の実施例１が２組のスライドレールとインターロックを含む相対動作模式図である。
【図６】本考案の実施例２のスライドレールとインターロックの構造模式図である。
【図７】本考案の実施例３のスライドレールとインターロックの構造模式図である。
【図８】本考案の実施例４のスライドレールとインターロックの構造模式図である。
【図９】本考案の実施例５のスライドレールとインターロックの構造模式図である。
【図１０】本考案の実施例６のスライドレールとインターロックの構造模式図である。
【考案を実施するための形態】
【００１０】
以下に図面を参照しながら本考案を実施するための最良の形態について詳細に説明する。
【実施例１】
【００１１】
図１、２に示す本考案の実施例１のスライドレール10は、外レール12、内レール14、及び外レール12と内レール14との間に縦方向にスライド可能状に連接する中レール16を備える。
【００１２】
外レール12の一端には、延伸ブラケット18、及び延伸ブラケット18に位置する開口20を備える。しかも、外レール12は、スライドチャンネル22を備え、中レール16はスライドチャンネル22に沿ってスライド移動する。
【００１３】
中レール16は、中間チャンネル24を備え、内レール14は中間チャンネル24に沿ってスライド移動する。インターロック26は、スライドレール10の前端に設置する。図に示すように、インターロック26は、台体28、操作部品30、及び停止部品32を備える。
【００１４】
台体28は、外レール12の延伸ブラケット18に固定して接続され、リベットなどの固定部品33により連接して固定し、しかも、開口20に対応して設置する。台体28は、上部34、及び上部34に対応する下部36を備え、しかも上部34及び下部36は、外レール12のスライドチャンネル22の上、下両側にそれぞれ位置する。上部34は、上収容室38を備え、外レール12のスライドチャンネル22に通じ、下部36は、下収容室40を備え、外レール12のスライドチャンネル22に通じる。
【００１５】
操作部品30は、台体28に相対して可動状に設置し、操作部42、操作部42に相対する係合ロック部44、及び操作部42と係合ロック部44との間に位置する連動部46を備える。操作部42は、中レール16の前端に相対し、しかも台体28の上収容室38に位置し、局部が露出する。係合ロック部44は、台体28の下収容室40内に位置する。好ましくは、操作部42は、中レール16の前端に対応する斜面48を備える。連動部46は、外レール12の延伸ブラケット18の開口20を貫通する。停止部品32は、内レール14の下側に連接し、操作部品30の係合ロック部44と相互に対応する。
【００１６】
図３に示すように、少なくとも１個の第二スライドレール10aを備える。第二スライドレール10aは別に、前記のインターロック26構造と相同の第二インターロック26aを設置する。第二インターロック26aは、第二操作部品30aを備え、第二操作部品30aは前記のインターロック26の連動部46に相対する第二連動部46aを備え、連動部46と第二連動部46aに連接するロック棒50を設置する。具体的には、ロック棒50上には、同等の間隔を開けた複数の槽孔52を設置し、これにより連動部46と第二連動部46aを挿入して接続する。こうして、複数のスライドレールとその上のインターロックユニットにより、インタラクティブ連動関係のインターロック構造を構成する。
【００１７】
この他、図４に示すように、前記のスライドレール10を例とすると、好ましくは、さらにインターロック26の台体28と操作部品30との間に設置する弾性部品54を備え、弾性部品54の弾力により、操作部品30を押し上げる。これにより、操作部品30は常態位置を保持でき、移動後に復位することができる。常態位置では、操作部品30の操作部42は台体28の上収容室38に相対し局部が露出し、しかも係合ロック部44はおおよそ台体28の下収容室40内に入る。
【００１８】
但し、注意しなければならない点は、上記した複数のスライドレールとインターロック構造を備える実施例において、前記のスライドレール10を例として説明すると、操作部品30は、それ自身の重量及びロック棒50の重量を利用して、操作部品30は常態的に下降しており、これにより操作部品30の操作部42は台体28の上収容室38に相対し局部が露出し、しかも係合ロック部44はおおよそ台体28の下収容室40内に入る。よって、このような条件下では、前記の弾性部品54は設置する必要はない。
【００１９】
スライドレール10の内レール14及び中レール16が外レール12に相対して引き出されると、好ましくは、内レール14と中レール16が外レール12に引き出される最初の頃は、同期に連動される。但し、同期連動の装置は、本考案の実用新案登録請求の重点ではなく、新開発の技術でもない。この種のスライドレール製品領域中では、従来の技術に属するため、ここでは再度掲示しない。
【００２０】
図５に示すように、内レール14と中レール16が同期に引き出された時、インターロック26の操作部品30の操作部42は、中レール16の前端とレール体により、押され続け、台体28の上収容室38内に引っ込む。同時に、操作部品30の連動部46は、第一位置から第二位置へと移動する。ロック棒50もまた、連動部46に連動され移動し、さらにロック棒50により、第二インターロック26aの第二操作部品30aの連動部46aを連動する。これにより、第二インターロック26aの第二操作部品30aは移動し、第二操作部品30aの第二係合ロック部44aは、第二台体28aの下収容室40a内から伸び出し、第二スライドレール10aの内レール14aの第二停止部品32aに相対する。これにより、第二係合ロック部44aにより第二停止部品32aを押さえ、こうして第二スライドレール10aの内レール14aの活動を制限する。こうして、第二スライドレール10aの開放を防止し、インターロックの安全使用効果を達成することができる。
【実施例２】
【００２１】
図６に示すように、前記のスライドレール10を例とすると、本考案の実施例２はさらに、プッシュ部品200を備え、中レール16の前端に固定して接続し、及び停止部品202を備え、内レール14に連接し、係合ロック部44に相対する。プッシュ部品200は、傾斜したプッシュ面204を備え、インターロック26の操作部品30の操作部42に相対する。これにより、操作部品30の操作部42は、プッシュ部品200のプッシュ面204により容易に押されて移動する。こうして、スライドレール10中の中レール16が内レール14に従い、外レール12に相対して引き出されると、操作部品30の操作部42は先ず、プッシュ部品200のプッシュ面202に押されて移動し、インターロックのロック固定機能を起動する。
【実施例３】
【００２２】
図７に示すように、前記のスライドレール10を例とすると、本考案の実施例３は、プッシュ部品300を備え、内レール14の前端に固定して接続し、及び停止部品302を備え、内レール14に連接し、係合ロック部44に相対する。プッシュ部品300は、傾斜したプッシュ面304を備え、インターロック26の操作部品30の操作部42に相対する。これは同様に、操作部品30の操作部42が、プッシュ部品300のプッシュ面304に押されて移動するのに有利である。
【実施例４】
【００２３】
図８に示すように、前記のスライドレール10を例とすると、本考案の実施例４はさらに、プルハンドル400を備え内レール14に連接し、プルハンドル400は、上側部402及び下側部404を備え、上側部402に相対する。上側部402の一端には、プッシュ部品406を設置し、インターロック26の操作部品30の操作部42に相対する。下側部404の一端には、停止部品408を連接し、停止部品408は係合ロック部44に相対する。好ましくは、プッシュ部品406は、傾斜したプッシュ面410を備え、インターロック26の操作部品30の操作部42に相対する。これにより、操作部品30の操作部42は、プッシュ部品406のプッシュ面410により、押されて移動する。
【００２４】
また、前記のスライドレール10の内レール14と中レール16は、外レール12から引き出された最初の頃には、同期連動の関係を備える。すなわち、中レール16がロック固定できれば、内レール14は引き出されない。
【実施例５】
【００２５】
これに基づき、図９に示すように、本考案の実施例５は、停止部品500を含み、中レール16の前端に固定して接続し、停止部品500は、インターロック26の操作部品30の係合ロック部44に相対する。これにより、スライドレール10の中レール16が、停止部品500が、インターロック26の操作部品30の係合ロック部44により止められて停止すると、中レール16と内レール14は、一緒にロック固定される。
【実施例６】
【００２６】
図１０に示すように、本考案の実施例６は、実施例５に相似し、中レール16の前端に停止部品500を固定して接続する他、プッシュ部品600を備え、中レール16の前端に固定して接続し、プッシュ部品600は、インターロック26の操作部品30の操作部42に相対する。好ましくは、プッシュ部品600は、傾斜したプッシュ面602を備え、インターロック26の操作部品30の操作部42に相対する。こうして、操作部品30の操作部42は、プッシュ部品600のプッシュ面602に押されて移動する。
【００２７】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
10：スライドレール、12：外レール、14：内レール、16：中レール、18：延伸ブラケット、20：開口、22：スライドチャンネル、24：中間チャンネル、26：インターロック、28：台体、30：操作部品、32：停止部品、33：固定部品、34：上部、36：下部、38：上収容室、40：下収容室、42：操作部、44：係合ロック部、46：連動部、48：斜面、50：ロック棒、52：槽孔、54：弾性部品、10a：第二スライドレール、14a：内レール、26a：第二インターロック、28a：第二台体、30a：第二操作部品、32a：第二停止部品、40a：下収容室、44a：第二係合ロック部、46a：連動部、200：プッシュ部品、202：停止部品、204：プッシュ面、300：プッシュ部品、302：停止部品、304：プッシュ面、400：プルハンドル、402：上側部、404：下側部、406：プッシュ部品、408：停止部品、410：プッシュ面、500：停止部品、600：プッシュ部品、602：プッシュ面。
【図１】
0003173757.tif 000003
【図２】
0003173757.tif 000004
【図３】
0003173757.tif 000005
【図４】
0003173757.tif 000006
【図５】
0003173757.tif 000007
【図６】
0003173757.tif 000008
【図７】
0003173757.tif 000009
【図８】
0003173757.tif 000010
【図９】
0003173757.tif 000011
【図１０】
0003173757.tif 000012